【手続補正書】
【提出日】平成28年10月5日(2016.10.5)
【手続補正１】
【補正対象書類名】特許請求の範囲
【補正対象項目名】全文
【補正方法】変更
【補正の内容】
【特許請求の範囲】
【請求項１】
第１ユーザからのメッセージを第２ユーザとのネットワーク対応の会話の一部として取得するステップであって、前記会話は複数の関連するメッセージを有する、取得するステップと、
プロセッサを利用することによって、前記メッセージのコンテンツを解析するステップと、
前記メッセージのコンテンツに基づきパネルレイアウトを自動的に選択するステップであって、前記パネルレイアウトは、前記会話に関連する前記複数のメッセージの一貫した表現力要素のセットを規定し、前記パネルレイアウトは更に前記表現力要素に前記会話の一連のメッセージを提示するための複数のパネルを規定する、選択するステップと、
前記表現力要素を備えた前記複数のパネルの少なくとも１つに前記メッセージを統合するステップと、
前記選択されたパネルレイアウトに基づき利用可能な装飾オプションのセットから少なくとも１つの装飾を自動的に選択するステップと、
プロセッサを利用することによって、前記少なくとも１つの装飾に対応する符号化されたコンフィギュレーションデータにより装飾されたメッセージを生成するため、前記メッセージに前記自動的に選択された少なくとも１つの装飾を適用するステップであって、前記コンフィギュレーションデータは前記少なくとも１つの装飾の特定の装飾特性を規定する複数のデータ値を含む、適用するステップと、
ネットワークを介した前記第２ユーザへの前記装飾されたメッセージの送信を実行するステップと、
を有する方法。
【請求項２】
前記第１ユーザが前記メッセージを構成することを可能にするステップを有する、請求項１記載の方法。
【請求項３】
前記第１ユーザが装飾を購入することを可能にし、前記ユーザにより購入された装飾を前記メッセージに適用するステップを有する、請求項１記載の方法。
【請求項４】
前記第１ユーザによる購入のため装飾のカタログを表示するステップを有する、請求項１記載の方法。
【請求項５】
ネットワークを介し第１ユーザからメッセージを受信するステップであって、前記メッセージは第２ユーザとのネットワーク対応の会話の一部であり、前記会話は複数の関連するメッセージを有する、受信するステップと、
前記メッセージが前記メッセージの装飾プロパティを設定するためのコンフィギュレーションデータを含むか判断するステップと、
前記メッセージが前記メッセージの装飾プロパティを設定するためのコンフィギュレーションデータを含む場合、プロセッサを利用することによって、前記コンフィギュレーションデータを復号化し、前記対応する装飾プロパティにより装飾されたメッセージを生成するステップと、
前記メッセージが前記メッセージの装飾プロパティを設定するためのコンフィギュレーションデータを含まない場合、前記メッセージのコンテンツを解析し、前記メッセージのコンテンツに基づきパネルレイアウトを自動的に選択し、前記パネルレイアウトは、前記会話に関連する前記複数のメッセージの一貫した表現力要素のセットを規定し、前記パネルレイアウトは更に前記表現力要素に前記会話の一連のメッセージを提示するための複数のパネルを規定し、前記表現力要素を備えた前記複数のパネルの少なくとも１つに前記メッセージを統合し、前記選択されたパネルレイアウトに基づき装飾プロパティを自動生成し、前記対応する自動生成された装飾プロパティにより装飾されたメッセージを生成するステップと、
前記第１ユーザとの前記会話の一部として前記第２ユーザのために前記表現力要素を備えた前記装飾されたメッセージを含む前記会話の複数のパネルを表示するステップと、
を有する方法。
【請求項６】
前記第２ユーザが前記会話のメッセージをブラウズすることを可能にするステップを有する、請求項５記載の方法。
【請求項７】
前記装飾プロパティは、アバターを含む、請求項５記載の方法。
【請求項８】
前記装飾プロパティは、アバターをアニメートするための命令を含む、請求項５記載の方法。
【請求項９】
前記受信したメッセージは、送信者から受信した非装飾メッセージである、請求項５記載の方法。
【請求項１０】
前記会話は、複数のコミック本スタイルのパネルにより提示される前記表現力要素を備えた複数のパネルとして前記第１及び第２ユーザに表示される、請求項５記載の方法。
【請求項１１】
データプロセッサと、
前記プロセッサとデータ通信し、ネットワークにアクセスするためのネットワーク接続と、
前記プロセッサにより実行可能なメッセージ処理システムと、
を有するシステムであって、
前記メッセージ処理システムは、
第１ユーザからメッセージを第２ユーザとのネットワーク対応の会話の一部として取得するステップであって、前記会話は複数の関連するメッセージを有する、取得するステップと、
前記メッセージのコンテンツを解析するステップと、
前記メッセージのコンテンツに基づきパネルレイアウトを自動的に選択するステップであって、前記パネルレイアウトは、前記会話に関連する前記複数のメッセージの一貫した表現力要素のセットを規定し、前記パネルレイアウトは更に前記表現力要素に前記会話の一連のメッセージを提示するための複数のパネルを規定する、選択するステップと、
前記表現力要素を備えた前記複数のパネルの少なくとも１つに前記メッセージを統合するステップと、
前記選択されたパネルレイアウトに基づき利用可能な装飾オプションのセットから少なくとも１つの装飾を自動的に選択するステップと、
前記少なくとも１つの装飾に対応する符号化されたコンフィギュレーションデータにより装飾されたメッセージを生成するため、前記メッセージに前記自動的に選択された少なくとも１つの装飾を適用するステップであって、前記コンフィギュレーションデータは前記少なくとも１つの装飾の特定の装飾特性を規定する複数のデータ値を含む、適用するステップと、
前記第２ユーザへのネットワークを介した前記装飾されたメッセージの送信を実行するステップと、
を実行するシステム。
【請求項１２】
前記第１ユーザが前記メッセージを構成することを可能にするよう更に構成される、請求項１１記載のシステム。
【請求項１３】
前記第１ユーザが装飾を購入し、前記ユーザにより購入された装飾を前記メッセージに適用することを可能にするよう更に構成される、請求項１１記載のシステム。
【請求項１４】
前記第１ユーザによる購入のための装飾のカタログを表示するよう更に構成される、請求項１１記載のシステム。
【請求項１５】
データプロセッサと、
前記プロセッサとデータ通信し、ネットワークにアクセスするためのネットワーク接続と、
前記プロセッサにより実行可能なメッセージ処理システムと、
を有するシステムであって、
前記メッセージ処理システムは、
ネットワークを介し第１ユーザからメッセージを受信するステップであって、前記メッセージは第２ユーザとのネットワーク対応の会話の一部であり、前記会話は複数の関連するメッセージを有する、受信するステップと、
前記メッセージが前記メッセージの装飾プロパティを設定するためのコンフィギュレーションデータを含むか判断するステップと、
前記メッセージが前記メッセージの装飾プロパティを設定するためのコンフィギュレーションデータを含む場合、前記コンフィギュレーションデータを復号化し、前記対応する装飾プロパティにより装飾されたメッセージを生成するステップと、
前記メッセージが前記メッセージの装飾プロパティを設定するためのコンフィギュレーションデータを含まない場合、前記メッセージのコンテンツを解析し、前記メッセージのコンテンツに基づきパネルレイアウトを自動的に選択し、前記パネルレイアウトは、前記会話に関連する前記複数のメッセージの一貫した表現力要素のセットを規定し、前記パネルレイアウトは更に前記表現力要素に前記会話の一連のメッセージを提示するための複数のパネルを規定し、前記表現力要素を備えた前記複数のパネルの少なくとも１つに前記メッセージを統合し、前記選択されたパネルレイアウトに基づき装飾プロパティを自動生成し、前記対応する自動生成された装飾プロパティにより装飾されたメッセージを生成するステップと、
前記第１ユーザとの前記会話の一部として前記第２ユーザのために前記表現力要素を備えた前記装飾されたメッセージを含む前記会話の複数のパネルを表示するステップと、
を実行するシステム。
【請求項１６】
前記第２ユーザが前記会話のメッセージをブラウズすることを可能にするよう更に構成される、請求項１５記載のシステム。
【請求項１７】
前記装飾プロパティは、アバターを含む、請求項１５記載のシステム。
【請求項１８】
前記装飾プロパティは、アバターをアニメートする命令を含む、請求項１５記載のシステム。
【請求項１９】
前記受信したメッセージは、送信者から受信した非装飾メッセージである、請求項１５記載のシステム。
【請求項２０】
前記会話は、複数のコミック本スタイルのパネルに提示される前記表現力要素を備えた複数のパネルとして前記第１及び第２ユーザに表示される、請求項１５記載のシステム。
【請求項２１】
データプロセッサと、
前記プロセッサとデータ通信し、ネットワークにアクセスするためのネットワーク接続と、
前記プロセッサにより実行可能なメッセージ処理システムと、
を有するシステムであって、
前記メッセージ処理システムは、ネットワークを介しユーザから第１メッセージを複数のメッセージを含む会話の一部として受信し、前記第１メッセージが前記メッセージの装飾プロパティを設定するためのコンフィギュレーションデータを含むか判断し、前記第１メッセージのコンテンツを解析し、前記メッセージのコンテンツに基づき前記第１メッセージの表序のための初期的なパネルレイアウトを自動生成し、前記パネルレイアウトは、前記会話に関連する前記複数のメッセージの一貫した表現力要素のセットを規定し、前記パネルレイアウトは更に前記表現力要素に前記会話の一連のメッセージを提示するための複数のパネルを規定し、前記表現力要素を備えた前記複数のパネルの少なくとも１つに前記メッセージを統合し、前記表現力要素を備えた前記第１メッセージを含む前記会話の複数のパネルを提示するシステム。
【請求項２２】
前記ネットワークを介し他のユーザから第２メッセージを前記会話の一部として受信し、前記第１メッセージと前記第２メッセージとの間の関係を決定し、前記第１メッセージと前記第２メッセージとの間の関係に少なくとも部分的に基づき前記第２メッセージのためのパネルレイアウトを選択し、前記選択されたパネルレイアウトに対応する前記表現力要素を備えた前記会話の複数のパネルのメッセージパネルに前記第２メッセージを提示するよう更に構成される、請求項２１記載のシステム。
【請求項２３】
前記ネットワークを介し他のユーザから第２メッセージを前記会話の一部として受信し、前記第１メッセージと前記第２メッセージとの間の関係を決定し、前記第１メッセージと前記第２メッセージとの間の関係に少なくとも部分的に基づきパネルレイアウトを選択し、前記選択されたパネルレイアウトに対応する前記表現力要素を備えた前記会話の複数のパネルのメッセージパネルにおいて前記第２メッセージを提示し、前記選択されたパネルレイアウトに対応する前記表現力要素を備えた前記会話の複数のパネルのメッセージパネルにおいて前記第１メッセージを提示するよう更に構成される、請求項２１記載のシステム。
【請求項２４】
前記第１ユーザが前記メッセージを構成し、前記メッセージを前記第２ユーザに送信する前に前記第２ユーザに現れる前記表現力要素を備えた前記会話の複数のパネルに含まれるような前記メッセージを閲覧することを可能にする、請求項１記載の方法。
【請求項２５】
第１ユーザからのメッセージを第２ユーザとのネットワーク対応の会話の一部として取得するステップであって、前記会話は複数の関連するメッセージを有する、取得するステップと、
パネルレイアウトを決定するステップであって、前記パネルレイアウトは、前記会話に関連する前記複数のメッセージの一貫した表現力要素のセットを規定し、前記パネルレイアウトは更に前記表現力要素に前記会話の一連のメッセージを提示するための複数のパネルを規定する、決定するステップと、
前記表現力要素を備えた前記複数のパネルの少なくとも１つに前記メッセージを統合するステップと、
前記第１ユーザが装飾を購入することを可能にするステップと、
プロセッサを利用することによって、ユーザにより購入された装飾に対応する符号化されたコンフィギュレーションデータにより装飾されたメッセージを生成するため、前記メッセージに前記ユーザにより購入された装飾を適用するステップであって、
ネットワークを介した前記第２ユーザへの前記装飾されたメッセージの送信を実行するステップと、
を有する方法。
【請求項２６】
前記第１ユーザが前記メッセージを構成し、前記装飾されたメッセージを前記第２ユーザに送信する前に前記装飾メッセージが前記第２ユーザに現れるとき、前記装飾されたメッセージを閲覧することを可能にするステップを含む、請求項２５記載の方法。
【請求項２７】
前記第１ユーザが前記メッセージに前記ユーザにより購入された装飾を明示的に適用することを可能にするステップを含む、請求項２５記載の方法。